(57)【要約】【課題】  画像編集インターフェイスおよびそのインターフェイスを利用した画像処理方法を提供する。【解決手段】  先ず、時間軸１によりビュー領域１０を提供し、それは第１サブ領域および第２サブ領域を含み、第１サブ領域が設定する時間スケール値は、第２サブ領域が設定する時間スケール値よりも小さく、第１サブ領域および第２サブ領域はそれぞれ前または後へのスクロールが可能なスロースクロールボタン１０５および中速スクロールボタン２１５、２２５を備える。編集したいフレームが第１サブ領域中に位置するとき、操作指令により、前記時間軸上において、スロースクロールボタン１０５を前または後へスクロールし、編集したいフレームを取得する。編集したいフレームが第２領域上に位置するとき、操作指令により、時間軸上において中速スクロールボタン２１５、２２５前または後へスクロールし、編集したいフレームを第２サブ領域から第１サブ領域へ移動する。【選択図】  図１
2005295033.tif 000002
【特許請求の範囲】
【請求項１】
時間軸によりビュー領域を表示し、前記ビュー領域は、少なくとも第１サブ領域および第２サブ領域を含み、前記第２サブ領域は、前記ビュー領域中で前記第１サブ領域と隣り合い、前記第１サブ領域が設定する時間スケール値は、前記第２サブ領域が設定する時間スケール値よりも小さく、前記第１サブ領域が、それに対応する時間軸上に、前または後へのスクロールが可能なスロースクロールボタンを備え、前記第２サブ領域が、それに対応する時間軸上に、前または後へのスクロールが可能な中速スクロールボタンを備え、
編集したいフレームが位置するサブ領域を検査し、
前記編集したいフレームは、前記第１サブ領域中に位置し、操作指令により、前記時間軸上で前または後へ前記スロースクロールボタンをスクロールし、前記編集したいフレームを取得し、
前記編集したいフレームは、前記第２サブ領域中に位置し、操作指令により、前記時間軸上で前または後へ前記中速スクロールボタンをスクロールし、前記編集したいフレームを前記第２サブ領域から前記第１サブ領域へ移動することを特徴とする、画像処理方法。
【請求項２】
前記ビュー領域は、前記ビュー領域中で前記第１サブ領域または前記第２サブ領域と隣に位置する第３サブ領域を含むことを特徴とする、請求項１記載の画像処理方法。
【請求項３】
前記第３サブ領域が設定する時間スケール値は、前記第１サブ領域および前記第２サブ領域が設定する時間スケール値よりも大きく、前記第３サブ領域は、それが対応する時間軸上に、前または後へのスクロールが可能な快速スクロールボタンを備えることを特徴とする、請求項２記載の画像処理方法。
【請求項４】
前記操作指令により、前記快速スクロールボタンを前または後へスクロールし、前記編集したいフレームを前記第３サブ領域から前記第１サブ領域または前記第２サブ領域へ移動することを特徴とする、請求項３記載の画像処理方法。
【請求項５】
ビュー領域は、少なくとも第１サブ領域および二つの第２サブ領域を含み、前記二つの第２サブ領域はそれぞれ前記ビュー領域中で、前記第１サブ領域に対応し異なる側に位置し、前記第１サブ領域が設定する時間スケール値は第２サブ領域が設定する時間スケール値よりも小さく、前記第１サブ領域は、それと対応した時間軸上に、前または後へのスクロールが可能なスロースクロールボタンを備え、前記第２サブ領域は、それと対応した時間軸上に、ドラッ前または後へのスクロールが可能な中速スクロールボタンを備えることを特徴とする、画像編集インターフェイス。
【請求項６】
操作指令により、前記時間軸上で前または後へ前記スロースクロールボタンをスクロールし、編集したいフレームを取得することを特徴とする、請求項５記載の画像編集インターフェイス。
【請求項７】
操作指令により、前記時間軸上で前または後へ前記中速スクロールボタンをスクロールし、編集したいフレームを一つの前記第２サブ領域から前記第１サブ領域へ移動することを特徴とする、請求項５記載の画像編集インターフェイス。
【請求項８】
前記ビュー領域は、それぞれ前記第１サブ領域に対応し異なる側に位置して前記二つの第２サブ領域の外側にある二つの第３サブ領域を含むことを特徴とする、請求項５記載の画像編集インターフェイス。
【請求項９】
前記二つの第３サブ領域が設定する時間スケール値は、前記第１サブ領域および前記第２サブ領域が設定する時間スケール値よりも大きく、それぞれ前記第３サブ領域は、それが対応する時間軸上に、前または後へのスクロールが可能な快速スクロールボタンを備えること特徴とする、請求項８記載の画像編集インターフェイス。
【請求項１０】
操作指令により、前記時間軸上で前または後へ前記快速スクロールボタンをスクロールし、編集したいフレームを前記第３サブ領域から前記第１サブ領域または、一つの前記第２サブ領域へ移動することを特徴とする、請求項９記載の画像編集インターフェイス。
【請求項１１】
コンピュータプログラムを保存し、前記コンピュータプログラムが複数のプログラムコードを含み、それをコンピュータシステム中へ入れて前記コンピュータシステムに画像処理方法を執行させる保存媒体であって、
時間軸によりビュー領域を提供し、前記ビュー領域は、第１サブ領域および第２サブ領域を少なくとも含み、前記第２サブ領域は、前記ビュー領域中で前記第１サブ領域の隣に位置し、前記第１サブ領域が設定する時間スケール値は、前記第２サブ領域が設定する時間スケール値よりも小さく、前記第１サブ領域は、それと対応した時間軸上に、前または後へのスクロールが可能なスロースクロールボタンを有し、前記第２サブ領域は、それと対応した時間軸上に、前または後へのスクロールが可能な中速スクロールボタンを有するステップと、
編集したいフレームがあるサブ領域を検査するステップと、
編集したいフレームが、前記第１サブ領域中に位置するとき、操作指令により、前記時間軸上で前または後へ前記スロースクロールボタンをスクロールし、前記編集したいフレームを取得するステップと、
前記編集したいフレームが、前記第２サブ領域中に位置するとき、操作指令により、前記時間軸上で前または後へ前記中速スクロールボタンをスクロールし、前記編集したいフレームを前記第２サブ領域から前記第１サブ領域へ移動することを特徴とする、保存媒体。
【請求項１２】
前記ビュー領域は、前記ビュー領域中で前記第１サブ領域または前記第２サブ領域の隣に位置する第３サブ領域をさらに含むことを特徴とする、請求項１１記載の保存媒体。
【請求項１３】
前記第３サブ領域が設定する時間スケール値は、前記第１サブ領域および第２サブ領域が設定する時間スケール値よりも大きく、前記第３サブ領域は、それが対応する時間軸上に、または後へのスクロールが可能な快速スクロールボタンを備えることを特徴とする、請求項１２記載の保存媒体。
【請求項１４】
前記操作指令により、前記時間軸上で前または後へ前記快速スクロールボタンをスクロールし、前記編集したいフレームを前記第３サブ領域から前記第１サブ領域または前記第２サブ領域へ移動することを特徴とする、請求項１３記載の保存媒体。
【発明の詳細な説明】
【技術分野】
【０００１】
本発明は、データ処理方法に関し、特に、画像編集インターフェイスおよびそのインターフェイスを利用した画像処理方法に関する。
【背景技術】
【０００２】
ビデオ信号編集ソフトウェアを使用して画像を編集するとき、先ず編集ウィンドウ上の時間軸（timeline）をドラッグし、編集したいフレームを編集可能なビュー領域へ移動してから、編集ツールを使用して編集したいフレームを修正する。しかし、大部分の編集ツールが使用する時間スケールは固定されており、ユーザが時間軸上において、時間点（time bar）の一単位を移動する度に、所定数量のフレームが移動される。もし、ユーザが、編集したいあるフレームをサーチしたいときは、時間スケール値を数回変えなければ所望する編集したいフレームを得ることができなかった。
【０００３】
時間スケールは秒単位であり、例えば１秒または１０秒を一単位とする。
【０００４】
例えば、映画の一フィルムを１秒当たり３０フレームに設定すると、全部の長さは一時間となり、全ファイルには１０８，０００フレーム含まれることになる。図４に示すように（矢印はドラッグできる時間点を示す）、画像編集ソフトウェアが使用する時間軸の時間スケールを予め１秒に設定し、ユーザが一単位移動させるたびに、時間軸上には３０フレームの移動が表示される。
【０００５】
しかし、ユーザがある一フレームに対し編集を行いたいときでも、従来の時間スケールではそのフレームを正確に見つけだすことはできなかった。そのため、時間スケールを１／３０秒へ変えることにより、図５に示すように、ユーザが一単位移動させる度、時間軸上には一フレームの移動が表示された。また、もし現在その時間点が、時間軸上の３００１フレーム目（図４に示す）に定位される、ユーザが１５０００フレーム目を探したいとき、現在の時間スケールでは、時間軸上を時間点が移動するときに、多くの時間がかかった。そのため、図６に示すように、ユーザは時間スケール値を１０秒に変え、一つの単位が移動するたびに、時間軸上で３００フレームの移動を表示することができた。
【発明の開示】
【発明が解決しようとする課題】
【０００６】
しかし、このような方式はユーザに多大な不便を与え、ユーザは時間スケールを常に変えて編集したいフレームを取得する必要があった。また、サーチするフィルムの時間が、例えば一時間を超えるように長すぎるとき、ユーザはフレームサーチに多くの時間をかける必要があった。
【０００７】
【特許文献１】特開２００３−３７８０７号公報
【０００８】
本発明の目的は、時間軸を数個のビュー領域へ分けることにより、ユーザが同一時間軸上において、異なる時間スケール値で編集したいフレームをサーチする画像編集インターフェイスを提供することにある。
【０００９】
本発明のもう一つの目的は、より柔軟的に時間軸の制御をユーザに提供し、編集したいフレームがより早く見つけられる画像処理方法を提供することにある。
【課題を解決するための手段】
【００１０】
上述の目的により、本発明は、画像編集インターフェイスを提供する。先ず、時間軸により画像インターフェイス中にビュー領域を提供し、ビュー領域を、第１サブ領域および二つの第２サブ領域を含む複数の領域に分け、二つの第２サブ領域は、それぞれビュー領域中において第１サブ領域に対応して左右両側に位置する。第１サブ領域が設定する時間スケール値は、第２サブ領域が設定する時間スケール値よりも小さく、各第１サブ領域は、それに対応する時間軸上に、映像を前および後へスクロールさせることのできる二つのスロースクロールボタンを備え、二つの第２サブ領域は、それに対応する時間軸上に、映像を前および後へ中速スクロールさせることのできる中速スクロールボタンをそれぞれ備える。
【００１１】
編集したいフレームは第１サブ領域中に位置し、それが対応する時間軸上において、第１サブ領域のスロースクロールボタンを押しながらビュー領域を前または後へスクロールして、編集したいフレームを正確に取得する。編集したいフレームが第２サブ領域中に位置するとき、それに対応する時間軸上において、第２サブ領域の中速スクロールボタンを押しながらビュー領域を前または後へスクロールし、当該編集したいフレームを比較的速い速度で第１サブ領域内へ移動させてから、第１サブ領域内のスロースクロールボタンによって、編集したいフレームを正確に取得する。
【００１２】
また、ビュー領域は、さらに左右二つの第３サブ領域を含み、それはそれぞれ第１サブ領域に対応し、異なる側において、それぞれ二つの第２サブ領域の外側に位置する。第３サブ領域が設定する時間スケール値は、第１サブ領域および第２サブ領域が設定する時間スケール値よりも大きく、第３サブ領域は、それが対応する時間軸上に、映像を前および後へ快速スクロールさせることのできる快速スクロールボタンを備える。
【００１３】
編集したいフレームが第３サブ領域中にある、またはいずれの領域にもない場合は、それが対応する時間軸上において、第３サブ領域の快速スクロールボタンを押しながらビュー領域を前または後へスクロールして、編集したいフレームを第２サブ領域に移動させた後、第２サブ領域の中速スクロールボタンによりビュー領域を前または後へスクロールし、編集したいフレームを比較的速い速度で第１領域内へ移動させ、最後に、第１サブ領域内のスロースクロールボタンによってビュー領域を前または後へスクロールし、編集したいフレームを正確に取得する。
【００１４】
本発明のもう一つの目的は、画像処理方法を提供することにある。先ず、時間軸によりビュー領域を提供し、そのビュー領域は第１サブ領域および第２サブ領域を含む。第２サブ領域はビュー領域中で第１サブ領域の隣に位置し、第１サブ領域が設定する時間スケール値は、第２サブ領域が設定する時間スケール値よりも小さく、第１サブ領域は、それと相対する時間軸上に、映像を前または後へスクロールさせることのできるスロースクロールボタンを有し、第２サブ領域は、それと対応する時間軸上に、映像を前または後へスクロールさせることのできる中速スクロールボタンを有する。
【００１５】
続いて編集したいフレームがあるサブ領域を検査する。編集したいフレームが、第１サブ領域中に位置するとき、操作指令により、時間軸上で、前または後へスロースクロールボタンをスクロールし、編集したいフレームを取得する。編集したいフレームが、第２サブ領域中に位置するとき、操作指令により、時間軸上で、前または後へ中速スクロールボタンまたはスロースクロールボタンをスクロールし、編集したいフレームを第２サブ領域から第１サブ領域へ移動する。
【００１６】
ビュー領域は、さらに第３サブ領域を含み、それはビュー領域中の第１サブ領域または第２サブ領域の隣に位置する。第３サブ領域が設定する時間スケール値は、第１サブ領域および第２サブ領域が設定する時間スケール値よりも大きく、第３サブ領域は、それが対応する時間軸上に、前または後へスクロールできる快速スクロールボタンを備える。
【００１７】
操作指令により、時間軸上で快速スクロールボタンを前または後へスクロールし、編集したいフレームを第３サブ領域から第１サブ領域または第２サブ領域へ移動する。
【発明の効果】
【００１８】
本発明は、時間軸に異なる時間のスケール設定を持たせ、ユーザはそのニーズにより、時間軸上において、異なる時間スケール値により編集したいフレームをサーチする。そして、従来技術のように、異なる時間スケール値により編集したいフレームをサーチするとき、時間スケールの設計値を変更する必要がない。そのため、ユーザは本発明により編集したいフレームをスピーディーにサーチできる。
【発明を実施するための最良の形態】
【００１９】
本発明の上述したこととその他の目的、特徴および長所をより明らかに分かりやすくするため、以下、好適な実施例を示し、図面の参照と合わせて詳しい説明をおこなう。
【００２０】
本発明は、画像編集インターフェイスおよびそのインターフェイスを利用した画像処理方法を提供する。
【００２１】
図１は、本発明の画像編集インターフェイスを示す図である。
【００２２】
本発明は、時間軸１によりビュー領域１０を提供し、ビュー領域１０をマイクロ領域（micro region）１００、マクロ領域（macro region）２１０、２２０および疎領域（coarse region）３１０、３２０に分ける。マイクロ領域１００はスロースクロールボタン１０５を有し、マクロ領域２１０、２２０はそれぞれ中速スクロールボタン２１５、２２５を有し、疎領域３１０、３２０はそれぞれ快速スクロールボタン３１５、３２５を有する。
【００２３】
また、マイクロ領域１００に対応する時間スケール値は、マクロ領域２１０、２２０に対応するスケール値よりも小さく、マクロ領域２１０、２２０に対応したスケール値は、疎領域３１０、３２０に対応したスケール値よりも小さい。
【００２４】
図２は、本発明の画像処理方法を示す流れ図である。
【００２５】
先ず、編集したいフレームが第１サブ領域中にあるかどうかを検査する（ステップＳ１）。編集したいフレームが、第１サブ領域中にあるとき、それが対応する時間軸上において、前または後へスクロールするスロースクロールボタンにより、第１サブ領域に位置する画面をスクロールして、編集したいフレームを得る（ステップＳ１１）。編集したいフレームを得たら、画像編集を行う（ステップＳ４）。編集したいフレームが、第１サブ領域中にないとき、編集したいフレームが一つの第２サブ領域中にあるかどうかを検査する（ステップＳ２）。編集したいフレームが、一つの第２サブ領域中にあるとき、それが対応する時間軸上において、前または後へスクロールする中速スクロールボタンにより、第２サブ領域に位置する画面をスクロールして、編集したいフレームを第１サブ領域へ移動してから（ステップＳ２１）、ステップＳ１へ進んで処理を継続する。
【００２６】
編集したいフレームが、第２サブ領域中にないとき、編集したいフレームが第３サブ領域中に位置するか、または編集したいフレームがどのサブ領域中にもないとき（つまり編集したいフレームがビュー領域中にないとき）、それが対応する時間軸上において、前または後にスクロールする快速スクロールボタンにより、第３サブ領域に位置する画面をスクロールして、編集したいフレームを第１サブ領域または第２サブ領域へ移動してから（ステップＳ３）、ステップＳ１へ進んで処理を継続する。
【００２７】
例えば、図３に示すように、本実施例は、ビュー領域１０をマイクロ領域１００、マクロ領域２１０、２２０および疎領域３１０、３２０へ分ける。マイクロ領域１００の時間スケールを一単位１／３０秒へ設定し、マクロ領域２１０、２２０の時間スケールを一単位１秒に設定し、疎領域３１０、３２０の時間スケールを一単位１０秒に設定する。
【００２８】
もし、ビュー領域１０を含むフィルムが毎秒３０フレームを撮影し、現在編集したいフレームが疎領域３１０中にあるか、またはビュー領域１０中にはないが、その左方向でその他のビュー領域にある場合、ユーザは快速スクロールボタン３１５により、ビュー領域１０を一単位３００フレームの速度で左方向に移動させ、編集したいフレームをマクロ領域２１０またはマイクロ領域１００中へ移動する。もし、編集したいフレームがマクロ領域２２０中にあるとき、ユーザは中速スクロールボタン２２５により、ビュー領域１０を一単位３０フレームの速度で右方向に移動させて、編集したいフレームをマイクロ領域１００中へ移動する。もし、編集したいフレームがマイクロ領域１００中にあるとき、ユーザはスロースクロールボタン１０５により、ビュー領域１０を一単位１フレームの速度で移動させ、編集したいフレームをマイクロ領域１００のちょうど中央へ移動して編集を行う。
【００２９】
また、本実施例における時間スケール値は本発明を限定するものではなく、当該技術を熟知するものなら誰でも、そのニーズに合わせてサブ領域ごと対応して時間スケール値を変更することができる。
【００３０】
本発明では好適な実施形態を前述の通り開示したが、これらは決して本発明を限定するものではなく、当該技術を熟知するものなら誰でも、本発明の主旨と領域を脱しない範囲内で各種の変動や潤色を加えることができる。従って本発明の保護の範囲は、特許請求の範囲で指定した内容を基準とする。
【図面の簡単な説明】
【００３１】
【図１】本実施例による画像編集インターフェイスを示す図である。
【図２】本実施例による画像処理方法のステップを示す流れ図である。
【図３】異なる時間スケールに対応する複数の画像サブ領域を有するビュー領域を示す図である。
【図４】時間軸の初期時間スケール値に対応した所定数量のフレームを示す図である。
【図５】図４に示す初期時間スケール値よりも小さいものに対応する所定数量のフレームを示す図である。
【図６】図４に示す初期時間スケール値よりも大きいものに対応する所定数量のフレームを示す図である。
【符号の説明】
【００３２】
１  時間軸
１０  ビュー領域
１００  マイクロ領域
１０５  スロースクロールボタン
２１０，２２０  マクロ領域
２１５，２２５  中速スクロールボタン
３１０，３２０  疎領域
３１５，３２５  快速スクロールボタン
【図１】
2005295033.tif 000003
【図２】
2005295033.tif 000004
【図３】
2005295033.tif 000005
【図４】
2005295033.tif 000006
【図５】
2005295033.tif 000007
【図６】
2005295033.tif 000008